(57)【要約】【課題】マガジンラックを運ぶ動作に伴って、格別な操作をすることなしに収納物の移動を規制できるマガジンラックを提供することを目的とする。【解決手段】本発明は、収納物Ａが保持される複数の対となるガイドレール６を有し、このガイドレール６の少なくとも一端面側が開口している本体２と、前記本体２のガイドレール６と連続してなるサポートレール１３を有するストッパ手段３とを備え、前記本体２又はストッパ手段３を持ち上げた場合に、これらの自重により本体２のガイドレール６とストッパ手段３のサポートレール１３との相対的位置がずれ、収納物Ａの移動が規制されるマガジンラック１である。【選択図】図１
2010109197.tif 000002
【特許請求の範囲】
【請求項１】
収納物が保持される複数の対となるガイドレールを有し、このガイドレールの少なくとも一端面側が開口している本体と；
前記本体のガイドレールと連続してなるサポートレールを有するストッパ手段と；
を備え、前記本体又はストッパ手段を持ち上げた場合に、これらの自重により本体のガイドレールとストッパ手段のサポートレールとの相対的位置がずれ、収納物の移動が規制されることを特徴とするマガジンラック。
【発明の詳細な説明】
【技術分野】
【０００１】
本発明は、キャリアやプリント基板等の収納物を保持するマガジンラックに関する。
【背景技術】
【０００２】
一般に、プリント基板の組立ては、複数の組立機を使用し、各組立機間でプリント基板が収納されたマガジンラックを搬送させて組立作業が行われている。ところで、例えば、各組立機で行われる部品実装作業等の作業時間は、各組立機によって異なる場合が多く、この場合、組立作業全体の効率化を図るため、特定の組立機から次の組立機へマガジンラックをセットするとき、所定数のマガジンラックを貯め置いて、バッチ処理によって作業を行うのが望ましい。このような組立作業では、作業者が手作業でマガジンラックを運ぶ必要性が生じ、このマガジンラックを運ぶ際、マガジンラックに収納されたプリント基板等の収納物がマガジンラックから滑落したり、飛び出したりする虞がある。
【０００３】
従来、この種、マガジンラックにおいて、搬送中におけるフレームの振動を防ぐため、押圧バーでフレームを押しつけて固定するようにしたものが知られている（特許文献１参照）。また、収納物を差し込み収納する細幅溝の開口部をゲート部材で塞いで、収納物が細幅溝から脱落するのを阻止するようにしたものが知られている（特許文献２参照）。さらに、プリント基板を出し入れする開口部に、プリント基板を規制する位置と規制しない位置との間で回動可能なストッパーシャフトを設け、プリント基板のはみ出し、落下を防止するものが提案されている（特許文献３参照）。
【特許文献１】実開昭６３−１５７９４２号公報
【特許文献２】実開平３−３５９０号公報
【特許文献３】特開平８−２８８６８９号公報
【発明の開示】
【発明が解決しようとする課題】
【０００４】
しかしながら、従来のものは、手作業でマガジンラックを運ぶ場合について、何ら考慮されていない。しかも、マガジンラックの収納物の脱落等を防止するため、ストッパーシャフト等の格別な操作を必要とするものである。
【０００５】
本発明は、上記課題に鑑みなされたもので、マガジンラックを運ぶ動作に伴って、格別な操作をすることなしに収納物の移動を規制できるマガジンラックを提供することを目的とする。
【課題を解決するための手段】
【０００６】
請求項１に記載のマガジンラックは、収納物が保持される複数の対となるガイドレールを有し、このガイドレールの少なくとも一端面側が開口している本体と；前記本体のガイドレールと連続してなるサポートレールを有するストッパ手段と；を備え、前記本体又はストッパ手段を持ち上げた場合に、これらの自重により本体のガイドレールとストッパ手段のサポートレールとの相対的位置がずれ、収納物の移動が規制されることを特徴とする。
【０００７】
ガイドレールは、溝状、リブ状等に形成でき、収納物を所定の位置に収納するように案内し、保持できる形態であればよい。ガイドレールとサポートレールとは、形状的に同一であってもよいが、同一である必要はない。連続してなり、収納物の出入を許容するように形成されていればよい。
【発明の効果】
【０００８】
請求項１に記載の発明によれば、マガジンラックを運ぶ動作に伴って、格別な操作をすることなしに収納物の移動を規制でき、収納物の滑落や飛び出しを防止することができる。  
【発明を実施するための最良の形態】
【０００９】
以下、本発明の第１の実施形態に係るマガジンラックについて図１乃至図６を参照して説明する。図１は、マガジンラックを示す斜視図、図２及び図３は、同正面図及び側面図、図４乃至図６は、ストッパ機構の動作を説明するための斜視図である。なお、各図において同一部分には同一符号を付し、重複した説明は省略する。
【００１０】
図１及び図２において、マガジンラック１は、全体が略直方体形状をなし、アルミニウム材で形成されている。そして、マガジンラック１は、側面形状がコ字状の本体２のブロックと、この側面形状と重合するようなフレーム状に形成されたストッパ手段３のブロックとを備えている。本体２のブロックは、略長方形の上面プレート４と、この上面プレート４の下面側の両側に一体的に垂下するように設けられた一対の側面プレート５とから構成されている。そして、この一対の側面プレート５の相互の内面には、水平方向であって、長手方向に延出するとともに、上下方向に適宜間隔を空けて複数条の溝６が形成されている。この側面プレート５の相互の溝６は、対向して対をなし、キャリアやプリント基板等の収納物Ａを多層に収納保持するガイドレールとして構成されている。したがって、本体２の側面側は、このガイドレールを構成する溝６の端面開口を含めて、収納物Ａの挿入及び排出を許容するように開口する開口部７が形成される。また、上面プレート４の上側には、持ち運び用の把手８が設けられており、また、角部には、後述するスライドピン１２が遊嵌するスライド孔４ａが形成されている。
【００１１】
なお、マガジンラック１は、耐久性、耐熱性、軽量化等からアルミニウム材で形成するのが好ましいが、合成樹脂や他の金属材料を用いて形成してもよい。また、ガイドレールは、別部材を側面プレート５の内面に取付けるようにして構成してもよく、さらに、リブ状に形成してもよい。要は、収納物Ａを所定の位置に収納するように案内し、保持できる形態であればよい。
【００１２】
次に、ストッパ手段３のブロックは、略長方形の底面フレーム１０と、底面フレーム１０の四隅の角部から立設するように一体的に取付けられた角柱状の側面フレーム１１と、この側面フレーム１１に取付けられたスライドピン１２とから構成されている。各側面フレーム１１の内側には、上下方向に適宜間隔を空けて複数条の溝１３が形成されており、この溝１３は、対向する側面フレーム１１の溝１３と対をなしている。そして、側面フレーム１１の溝１３は、前述の本体２の側面プレート５の溝６と端面開口が合致するように構成されており、フレーム１１の溝１３と側面プレート５の溝６とで連続した一連の溝を形成している。したがって、ストッパ手段３の側面側には、前記本体２の開口部７と相対する開口部１４が形成されていることとなる。換言すれば、本体２の開口部７とストッパ手段３の開口部１４とが協働して収納物Ａの出入を可能としており、収納物Ａを一連の溝６、１３に沿って挿入及び排出できるようになっており、フレーム１１の溝１３は、ガイドレールに対し、サポートレールとして構成されている。また、スライドピン１２は、各側面フレーム１１の上部に取付けられており、頭部を大径とし、所定長のストロ-ク部１２ａを有している。
【００１３】
なお、側面フレーム１１の溝１３の上下方向の幅寸法は、側面プレート５の溝６の上下方向の幅寸法より、多少大きく形成してもよい。これにより、収納物Ａを側面プレート５の溝６に挿入しやすい効果を奏する。
【００１４】
このように構成された本体２とストッパ手段３とは、ストッパ手段３のスライドピン１２と本体２のスライド孔４ａとの係合、及び側面プレート５と側面フレーム１１との相互の当接面１５における凹凸嵌合（図示は省略している）によって、相対的に所定ストロークをもって上下にスライド可能に連結されている。図２に示す状態から図３に示すように、把手８を持ち上げると、この動作に伴って本体２のブロックは、ストッパ手段３のブロックに対して所定ストローク上方へ移動し、ストッパ手段３のブロックは、本体２のブロックとの関係では動くことなく、自重でその位置に留まる。すなわち、把手８を把持して持ち上げると、上面プレート４に形成されたスライド孔４ａがスライドピン１２のストローク部１２ａに案内されて移動し、スライドピン１２の頭部で停止する。この状態では、図３（ｂ）に示すように、相対する本体２の開口部７とストッパ手段３の開口部１４との位置がずれ、具体的には、一連の溝を形成していたガイドレールとサポートレール、すなわち、側面プレート５の溝６とフレーム１１の溝１３との位置がずれ、本体２の開口部７から収納物Ａの移動が規制される。
【００１５】
次に、この収納物Ａの移動を規制するストッパ機構の動作について図４乃至図６を参照して詳細に説明する。まず、マガジンラック１には、キャリアやプリント基板等の収納物Ａがガイドレールに沿って多層に収納され、このマガジンラック１を作業者が手作業で運ぶ場合を前提とする。
【００１６】
図４において、定常のマガジンラック１の載置状態（図４（ａ））から把手８を把持して持ち上げた状態（図４（ｂ））を示し、説明上、本体２のブロックの動きを分かりやすくするため、本体２のブロックを太線で示している。図から分かるように、マガジンラック１を把手８を把持して持ち上げると、本体２のブロックは、スライドピン１２のストローク部１２ａの長さ分、上方に移動し、一方、ストップ手段３のブロックは、自重により本体２のブロックに対して下方に下がった状態となり、この状態で移動場所に運ばれる。また、再び載置状態とすると、まず、ストップ手段３の底面フレーム１０が載置され、今度は、本体２のブロックの自重により、本体２が下方に移動し元の状態に戻る（図４（ａ））。
【００１７】
続いて、図５及び図６において、マガジンラック１の載置状態及び持ち上げた状態を要部の拡大図とともに説明する。図５に示す載置状態では、本体２の開口部７とストッパ手段３の開口部１４とが相対しており、ガイドレールとサポートレール、すなわち、側面プレート５の溝６とフレーム１１の溝１３とが連続した一連の溝を形成している。したがって、この一連の溝に沿って収納物Ａを図示矢印方向に出入可能である。
【００１８】
一方、図６に示す持ち上げた状態では、相対する本体２の開口部７とストッパ手段３の開口部１４との位置がずれ、具体的には、一連の溝を形成していた側面プレート５の溝６とフレーム１１の溝１３との位置がずれ、側面プレート５の各溝６の端面開口６ｏがフレーム１１の各溝１３間の端面壁１３ｗに対向するようになる。したがって、収納物Ａは、フレーム１１の端面壁１３ｗによって、水平方向の移動が規制され、持ち運びに際し、収納物Ａが滑落したり、飛び出したりするのを防止することができる。なお、持ち運び用の把手８を設けるのが好適であるが、把手８を設けない場合には、上面プレート４の両側を把持して運ぶようにしてもよい。
【００１９】
以上のように本実施形態によれば、マガジンラック１を運ぶ動作に伴って、格別な操作をすることなしに収納物の移動を規制でき、収納物Ａの滑落や飛び出しを防止することができる。
【００２０】
次に、本発明の第２の実施形態に係るマガジンラックについて図７を参照して説明する。図７は、マガジンラックを示す斜視図である。なお、第１の実施形態と同一又は相当部分には同一符号を付し重複した説明は省略する。本実施形態では、把手８を把持して持ち上げた場合に、ストップ手段３のブロックが本体２のブロックに対して所定ストローク上方へ移動し、本体２のブロックは、自重でその位置に留まるものである。つまり、第１の実施形態とは、逆の関係にある。本体２のブロックは、略長方形の底面プレート２１と、この底面プレート２１の両側に立設された一対の側面プレート５とから構成されている。そして、この一対の側面プレート５の相互の内面には、ガイドレールを構成する複数条の溝６が形成されている。また、側面プレート５の下方両側には、ストローク段部５１が形成されている。
【００２１】
ストッパ手段３のブロックは、略長方形の上面プレート４と、この上面プレート４の下面側の角部から垂下するようにねじ等の固定手段で一体的に取付けられた側面フレーム１１とから構成されている。各側面フレーム１１の内側には、上下方向に適宜間隔を空けてサポートレールを構成する複数条の溝１３が形成されており、また、各側面フレーム１１の下側には、前記ストローク段部５１に係合する突出部３１が形成されている。なお、各側面フレーム１１は、補強ロッド３２により連結されている。
【００２２】
このように構成されたマガジンラック１の把手８を把持して持ち上げると、この動作に伴ってストッパ手段３のブロックは、本体２のブロックに対して所定ストローク上方へ移動し、本体２のブロックは、ストッパ手段３のブロックとの関係では動くことなく、自重でその位置に留まる。すなわち、ストローク段部５１の上下方向の長さ寸法で決まるストロークを突出部３１が移動し、停止する。この状態では、第１の実施形態と同様に、一連の溝を形成していたガイドレールとサポートレール、すなわち、側面プレート５の溝６とフレーム１１の溝１３との位置がずれ、本体２の開口部７から収納物Ａの移動が規制される。
【００２３】
以上のように本実施形態によれば、第１の実施形態と同様な効果を奏するマガジンラック１を提供できる。
【００２４】
本発明は、上記各実施形態の構成に限定されることなく、発明の要旨を逸脱しない範囲で種々の変形が可能である。
【図面の簡単な説明】
【００２５】
【図１】本発明の第１の実施形態に係るマガジンラックを示す斜視図である。
【図２】同正面図及び側面図である。
【図３】同じく正面図及び側面図である。
【図４】同ストッパ機構の動作を説明するための斜視図である。
【図５】同じくストッパ機構の動作を説明するための斜視図である。
【図６】同じくストッパ機構の動作を説明するための斜視図である。
【図７】本発明の第２の実施形態に係るマガジンラックを示す斜視図である。
【符号の説明】
【００２６】
１・・・マガジンラック、２・・・本体、３・・・ストッパ手段、
６・・・ガイドレール（溝）、８・・・把手、１３・・・サポートレール（溝）、
Ａ・・・収納物
【図１】
2010109197.tif 000003
【図２】
2010109197.tif 000004
【図３】
2010109197.tif 000005
【図４】
2010109197.tif 000006
【図５】
2010109197.tif 000007
【図６】
2010109197.tif 000008
【図７】
2010109197.tif 000009